(57)【要約】第一及び第二のビューアに第一及び第二の立体画像を表示する方法は、第一の立体画像を受ける第一のビューアの識別エレメントを有し、第一の左目の画像と右目の画像を分離するために第一の左目及び右目の識別エレメントを更に有する第一のデコーディング装置を第一のビューアに提供し、第二のビューアには、第二の立体画像を受ける第二のビューアの識別エレメントを有し、第二の左目及び右目の識別エレメントを更に有する第二のデコーディング装置が提供される。第一の立体画像は、それぞれリフレッシュ周期の実質的に半周期にわたり、第一の左目の画像を形成し、第一の右目の画像を形成することで第一のビューアに表示される。第二の立体画像は、それぞれリフレッシュ周期の実質的に半周期にわたり、第二の左目の画像を形成し、第二の右目の画像を形成することで第二のビューアに表示される。
2012514766.tif 000002
【特許請求の範囲】
【請求項１】
リフレッシュ周期を有する繰返しシーケンスで、第一の立体画像を第一のビューアに表示し、異なる第二の立体画像を第二のビューアに表示する方法であって、
前記繰り返しシーケンスは、
ａ）第一の立体画像を受け、第二の立体画像を阻止する第一のビューアの識別エレメントを有し、第一の立体画像の左目の立体画像と右目の立体画像をそれぞれ分離する第一の左目の識別エレメント及び第一の右目の識別エレメントを更に有する第一のデコーディング装置を第一のビューアに提供するステップと、
ｂ）第二の立体画像を受け、第一の立体画像を阻止する第二のビューアの識別エレメントを有し、第二の立体画像の左目の立体画像と右目の立体画像をそれぞれ分離する第二の左目の識別エレメント及び第二の右目の識別エレメントを更に有する第二のデコーディング装置を第二のビューアに提供するステップと、
ｃ）（i）リフレッシュ周期の実質的に半周期にわたり第一の左目の立体画像を形成し、（ii）リフレッシュ周期の実質的に半周期にわたり第一の右目の立体画像を形成することで、第一のビューアに前記第一の立体画像を表示するステップと、
ｄ）（i）リフレッシュ周期の実質的に半周期にわたり第二の左目の立体画像を形成し、（ii）リフレッシュ周期の実質的に半周期にわたり第二の右目の立体画像を形成することで、第二のビューアに前記第二の立体画像を表示するステップと、
を含むことを特徴とする方法。
【請求項２】
前記第一のビューアに前記第一のデコーディング装置を提供するステップは、シャッターメガネのペアを提供するステップを含む、
請求項１記載の方法。
【請求項３】
前記第一のビューアに前記第一のデコーディング装置を提供するステップは、第一の偏光子と第二の偏光子とを提供するステップを含む、
請求項１記載の方法。
【請求項４】
前記第一のビューアに前記第一のデコーディング装置を提供するステップは、第一のスペクトルフィルタと第二のスペクトルフィルタを提供するステップを含む、
請求項１記載の方法。
【請求項５】
前記第一のビューアの識別エレメントは、シャッター装置、偏光子、又は少なくとも１つのスペクトルフィルタのうちの１つを含む、
請求項１記載の方法。
【請求項６】
前記第一のビューアに前記第一のデコーディング装置を提供するステップは、
前記第一のビューアの識別エレメントとしてシャッターメガネのペアを提供するステップと、
前記第一の左目の識別エレメントとして第一の偏光子を提供し、前記第一の右目の識別エレメントとして第二の偏光子を提供するステップと、
を含む請求項１記載の方法。
【請求項７】
前記第一のビューアに前記第一のデコーディング装置を提供するステップは、
前記第一のビューアの識別エレメントとしてシャッターメガネのペアを提供するステップと、
前記第一の左目の識別エレメントとして少なくとも第一のスペクトルフィルタを提供し、前記第一の右目の識別エレメントとして少なくとも第二のスペクトルフィルタを提供するステップと、
を含む請求項１記載の方法。
【請求項８】
前記第一のビューアに前記第一のデコーディング装置を提供するステップは、
前記第一のビューアの識別エレメントとして偏光子を提供するステップと、
前記第一の左目の識別エレメントと前記第一の右目の識別エレメントを有するシャッターメガネのペアを提供するステップと、
を含む請求項１記載の方法。
【請求項９】
前記第一のビューアに前記第一のデコーディング装置を提供するステップは、
前記第一のビューアの識別エレメントとして偏光子を提供するステップと、
前記第一の左目の識別エレメントとして少なくとも第一のスペクトルフィルタを提供し、前記第一の右目の識別エレメントとして少なくとも第二のスペクトルフィルタを提供するステップと、
を含む請求項１記載の方法。
【請求項１０】
前記第一のビューアに前記第一のデコーディング装置を提供するステップは、
前記第一のビューアの識別エレメントとして少なくともスペクトルフィルタを提供するステップと、
前記第一の左目の識別エレメントと前記第一の右目の識別エレメントを有するシャッターメガネのペアを提供するステップと、
を含む請求項１記載の方法。
【請求項１１】
前記第一のビューアに前記第一のデコーディング装置を提供するステップは、
前記第一のビューアの識別エレメントとして少なくともスペクトルフィルタを提供するステップと、
前記第一の左目の識別エレメントとして第一の偏光子を提供し、前記第一の右目の識別エレメントとして第二の偏光子を提供するステップと、
を含む請求項１記載の方法。
【請求項１２】
前記第一の立体画像を表示するステップは、線形光変調器のアレイで光を変調するステップを含む、
請求項１記載の方法。
【請求項１３】
前記第一の立体画像は、電気機械回折格子で光を変調するステップを含む、
請求項１記載の方法。
【請求項１４】
光変調チャネルにおいて交互に配置されるストライプを有するパターニング形成された偏光を変えるエレメントを配置するステップを更に含む、
請求項１３記載の方法。
【請求項１５】
前記パターン形成された偏光を変えるエレメントは、前記電気機械格子のカバープレートで形成される、
請求項１４記載の方法。
【請求項１６】
前記交互に配置されるストライプは、インタリーブされた直交して偏光される画像を形成するため、第一の遅延と第二の遅延とを与える、
請求項１４記載の方法。
【請求項１７】
形成される前記直交して偏光される画像は、円偏光される、
請求項１６記載の方法。
【請求項１８】
前記第一のビューアの前記第一の左目の画像と前記第一の右目の画像は、リフレッシュ周期の同じ半周期の間に形成される、
請求項１記載の方法。
【請求項１９】
前記第一のビューアの前記第一の左目の画像と前記第一の右目の画像は、リフレッシュ周期の異なる部分の間に形成される、
請求項１記載の方法。
【請求項２０】
前記第一の立体画像を表示するステップは、線形光変調器のアレイで光を変調するステップを含み、前記線形光変調器のアレイにおける交互に配置される画素は、左目の画像と右目の画像をそれぞれ形成する、
請求項１記載の方法。
【請求項２１】
デュアルビュー立体画像形成の表示装置であって、
それぞれの色チャネルが、（i）照明を提供する少なくとも１つのレーザ光源と、（ii）前記照明を変調して画素のラインを形成するために作動可能な少なくとも１つのリボンのアレイを有する回折格子の電気機械変調器と、（iii）前記少なくとも１つのレーザ光源と前記回折格子の電気機械変調器との間に配置され、交互に配置されるセクションを有するストライプ状の遅延手段であって、直交する偏光状態を有する２つのインタリーブされた画素のセットが形成されるように、光波の遅延を提供するストライプ状の遅延手段と、を有する複数の色チャネルと、
前記複数の色チャネルのそれぞれからの変調された光を出力光経路で結合する光結合手段と、
投影レンズと、
ディスプレイの表面での投影のために結合された光の方向を変更するために回転可能なスキャナと、
第一及び第二のビューのための立体画像を識別する少なくとも２つのデコーディング装置と、
を備えることを特徴とする表示装置。
【請求項２２】
交互に配置されるセクションを有するストライプ状の偏光を変えるエレメントを有する電気機械格子の光変調器であって、ストライプ状の偏光子は、あるラインにおける画素の少なくとも一部について光波の遅延を提供する、
ことを特徴とする電気機械格子の光変調器。
【発明の詳細な説明】
【技術分野】
【０００１】
本発明は、ディスプレイ装置に関するものであり、より詳細には、線形の電気機械格子デバイス（electromechanical  grating  device）を使用したデュアルビュー（dual-view）立体提示のための表示装置に関する。
【背景技術】
【０００２】
コスト及びパフォーマンスにおける継続した改善により、固体レーザは、ディスプレイシステムの照明要素として潜在的利益を有している。それらの固有のスペクトル純度、高い輝度及び長い動作寿命は、デジタルシネマ、シミュレーション及び他の高いパフォーマンスの画像形成装置の設計者の間で特定の関心を引き起こしている。しかし、デジタルプロ投影のレーザ光源を使用するための提案されている解決策は、この潜在能力を利用したロバストな表示装置を提供するために必要とされるものに到達していない。
【０００３】
立体投影は、シネマ投影のための１つの特定の関心の領域である。従来の立体投影の構成は、一方は左目用であり、他方は右目用である２つのプロジェクタを使用する構成を含む。この基本モデルは、Barco社のようなベンダからの早期のフィルムに基づくシステム及びデジタル投影機器で適用されている。係る２つのプロジェクタデザインは実現可能性を示し、立体画像形成システムにより提供される画像形成機能を向上させているが、これらのシステムは、高価であり、互いに正確なアライメントを必要とし、劇場の設計及びレイアウトに更なる要件を課し、装置の据付けを複雑にする。
【０００４】
デジタルプロジェクタ装置について、立体投影の様々なタイプのソリューションが提示されており、単一のプロジェクタのみを使用する構成を含む。これらは、２つのタイプの空間光変調器（SLM）の何れかを利用したシステムを典型的に含んでいる。提案される立体設計で使用される第一のタイプの空間光変調器は、テキサス州ダラスにあるテキサスインスツルメント社により開発されたDLP（Digital  Light  Processor）、DMD（Digital  Micromirror  Device）であり、デジタル投影で広く使用されている第二のタイプのSLMは、液晶技術に基づいており、透過型光変調器、液晶装置（LCD）及び反射型LCOS（Liquid  Crystal  On  Silicon）として利用可能である。
【０００５】
デジタル投影について別のタイプの光変調器のソリューションは、ｎ個のマイクロデバイスの１次元アレイを使用し、ｍ個の連続したシングルラインの画像を形成することで２次元画像を形成する線形光変調器を使用するものであり、それぞれのシングルラインの画像が、第一の方向に延び、次いで、これらｍ個の連続するラインの画像を、ｍ×ｎ画素の画像を投影するために第一の方向に直交する方向でスキャニングする。
【０００６】
線形光変調器のなかで、グレーティングライトバルブ（GLV）の設計は、米国特許第6215579号（Bloom等）に記載されたSilicon  Light  Machineにより提供される。同一出願人による米国特許第6802613号（Agostinelli等）に開示されるような、GEMS（Grating  Electro-Mechanical  Systems）を使用して、さらに他のソリューションが提供されている。
【０００７】
何れかのタイプの立体投影システムにより、共通のディスプレイスクリーンで結合される左画像と右画像とを区別するために、幾つかのタイプの分離メカニズムが必要とされるが、ビューアの適切な左目と右目とについて意図される。左目の画像と右目の画像は、時間的に分離されるか、相対的に互いに直交する異なる偏光からなるか、又は異なる波長からなるものである。従来の２つのプロジェクタシステムは、これらの分離スキームの何れかを使用する。単一プロジェクタのデジタルシステムは、これらの方法の何れかを使用することができる。しかし、これらのシステムは、同じ投影レンズからの光を向ける必要があるので、１つのプロジェクタシステムは、本質的に効率が悪い。
【０００８】
時系列システムは、「ページめくり“page  flipping”」技術を使用する。ページめくりは、左目の画像と右目の画像とを交互に表示して、ディスプレイのリフレッシュレートに同期されるシャッターメガネを装着した１以上のビューアに立体画像を提供する。多数のビューアに立体画像を提示するために適合されるこのタイプのディスプレイシステムの１つの例は、米国特許第6535241号（McDowall等）に与えられる。偏光の差を使用した立体システムは、それぞれの直交偏光での光を使用して左目と右目の画像を提供する。ビューアには、これらの左目の画像と右目の画像とを分離するために偏光メガネが提供される。線形に偏光された光を使用したこのタイプのディスプレイシステムの１つの例は、米国特許第7204592号（O’Donnell等）で与えられる。左及び右の円偏光を使用した立体ディスプレイは、米国特許第7180554号（Divelbiss等）に記載される。
【０００９】
立体システムは、波長により左目の画像と右目の画像を分離し、それぞれの目にとって適切な画像を区別するように適切に設計されるフィルタメガネをビューアに提供する。このタイプのスペクトル分離ディスプレイシステムの１例は、米国特許第7001021号（Jorke）に与えられる。
【００１０】
米国特許第6867775号（Buck等）で概説される立体画像形成の１つのアプローチは、異なる位置に配置される複数のビューアのオブジェクトを表示し、特定のビューアの透視図を表すオブジェクトの位置及び画像に基づいて個別の立体画像を生成する。それぞれのビューアに対応する画像を生成するため、複数のスペクトル領域が画像表示装置の放射線スペクトルをフィルタリングする。異なる位置の遠近感を表す異なる画像を生成するため、画像表示装置の異なる放射線又は放出スペクトルは、たとえば３つの色の受容体を表す比較的狭い帯域幅として分離される。ビューアの目のそれぞれに対応する半分の画像を分離するため、異なる隣接するスペクトル領域は、画像表示装置の放出又は放射線スペクトルから好ましくは分離される。ビューアＡについて、たとえば445〜455nm、515〜525nm及び605〜615nmの周波数帯域は、それぞれ左目について分離され、460〜470nm、530〜540nm及び622〜630nmの周波数帯域は、それぞれ右目について分離される。ビューアＢについて、周波数帯域は、比較できるやり方でシフトされ、480，550及び635nmのスペクトルラインの前後でそれぞれ分離される。このように、２つのビューアＡ及びＢは、異なるフィルタのセットでビューグラス又は他のセパレータを使用することで、異なる3Dの奥行きを見る。このアプローチは、個々のビューアについてオブジェクトの異なる立体視を提供するが、高度選択的且つ高価であるフィルタメガネを必要とする。さらに、ビューア間でクロストークが存在するように、完全なスペクトル分離が可能ではない。
【００１１】
最近、画像形成装置は、立体画像形成のタスクに適用されるものに類似した技術及びアプローチを使用して、デュアルビューシステムとしての使用のために適合される。ゲーム及びシミュレーション応用について相当興味深いものとして、デュアルビューアオペレーションは、ビューアの側での僅かな変更のみにより、立体投影装置及び技術を使用して提供される、立体動作のバリエーションである。デュアルビューアモードについて、この変更は簡単である。立体視について「左目画像」と呼ばれるものは、第一のビューアに提示され、「右目画像」と呼ばれるものは、第二のビューアに提供される。同様の技術は、タイミング、偏光状態又は波長を使用して、それぞれのビューアに提示される画像を分離するために使用される。
【発明の概要】
【発明が解決しようとする課題】
【００１２】
デュアルビュー立体視機能の価値が認識されているが、これを達成する従来のアプローチは、満足のいくものではないことが分かっている。たとえば、画像のクロストークは、デュアルビュー画像形成について非常に好ましくない。Buck等の‘775開示に概説されるようなアプローチは、２人のビューアには異なる画像コンテンツが提示され、それぞれのビューアの画像の提示が立体であるデュアルビュー立体画像形成をサポートする機能を有していない。他のアプローチは、デュアルビュー又は立体画像形成により十分な輝度を提供するために苦しんでいる。たとえば、McDowall等の‘241開示に示されるようなビデオ多重化アプローチは、１つの表示サイクルの間にビューアのそれぞれの目に利用可能な光の4分の1のみを提供する。これらのアプローチをデュアルビュー立体画像形成の要件に拡張することは、満足のいく視聴体験を提供しない。
【００１３】
従って、線形光変調アレイを使用したデュアルビュー立体画像表示装置を提供する装置及び方法が必要とされる。
【課題を解決するための手段】
【００１４】
本発明の目的は、改善されたデュアルビュー立体投影装置の必要に対処することである。この目的を考慮することで、本発明は、リフレッシュ周期を有する繰り返されるシーケンスにおいて、第一の立体画像を第一のビューアの表示し、異なる第二の立体画像を第二のビューアに表示する方法を提供するものであり、以下のステップを含む。
【００１５】
ａ）第一の立体画像を受け、第二の立体画像を阻止する第一のビューアを識別するエレメントを有し、第一の立体画像の左目の立体画像と右目の立体画像をそれぞれ分離する第一の左目を識別するエレメント及び第一の右目を識別するエレメントを更に有する第一のデコーディング装置を第一のビューアに提供するステップ。  
ｂ）第二の立体画像を受け、第一の立体画像を阻止する第二のビューアを識別するエレメントを有し、第二の立体画像の左目の立体画像と右目の立体画像をそれぞれ分離する第二の左目を識別するエレメント及び第二の右目を識別するエレメントを更に有する第二のデコーディング装置を第二のビューアに提供するステップ。  
ｃ）（i）リフレッシュ周期の実質的に半周期にわたり第一の左目の立体画像を形成し、（ii）リフレッシュ周期の実質的に半周期にわたり第一の右目の立体画像を形成することで、第一のビューアに第一の立体画像を表示するステップ。
ｄ）（i）リフレッシュ周期の実質的に半周期にわたり第二の左目の立体画像を形成し、（ii）リフレッシュ周期の実質的に半周期にわたり第二の右目の立体画像を形成することで、第二のビューアに第二の立体画像を表示するステップ。
【００１６】
本発明の特徴は、改善された輝度、解像度及び光の利用について線形の空間光変調を使用してデュアルビュー立体投影の方法を提供するものである。  
本発明の利点は、１つの投影表示装置からデュアルビュー立体画像形成を提供するものである。本発明のこれらの態様、特徴及び利点、並びに他の態様、目的、特徴及び利点は、添付図面を参照して、好適な実施の形態及び特許請求の範囲に関する以下の記載を検討することから明らかとなるであろう。
【図面の簡単な説明】
【００１７】
本明細書は、本発明の主題を特に示すと共に、主題を明確に特許請求する特許請求の範囲を含んでおり、本発明は、添付図面と共に行われる以下の説明から良好に理解されるであろう。
【図１】立体又はデュアルビューの実施のために使用される投影装置を示す図である。
【図２Ａ】立体ディスプレイの従来のタイミングを示す従来技術のタイミングを示す図である。
【図２Ｂ】従来技術に係る従来のページめくりの立体ディスプレイのために使用されるタイミングを示す図である。
【図３Ａ】異なるビューを２人のビューアに提供する立体ディスプレイの従来のタイミングを示す従来技術のタイミングを示す図である。
【図３Ｂ】異なるビューを２人のビューアに提供する立体ディスプレイの従来のシャッターメガネのタイミングを示す従来技術のタイミングを示す図である。
【図４Ａ】デュアルビュー立体ディスプレイのシャッターメガネのタイミングを示すタイミング図である。
【図４Ｂ】デュアルビュー立体ディスプレイの代替的な構成についてシャッターメガネのタイミングを示すタイミング図である。
【図５】デュアルビュー立体投影のための表示装置を示す概念図である。
【図６Ａ】１つの表示装置の実施の形態におけるストライプ状偏光子の一部を示す平面図である。
【図６Ｂ】異なる偏光状態を使用した隣接する画素の光経路を示す図である。
【図６Ｃ】異なる偏光状態を使用した隣接する画素の光経路を示す図である。
【図７】代替的な実施の形態におけるシャッターメガネのタイミングを示すタイミング図である。
【図８】スペクトル分離が識別する特性として使用される１つのカラーチャネルを示す概念図である。
【図９】スペクトル分離及び偏光状態の両者が識別する特性として１つのカラーチャネルを示す概念図である。
【図１０】識別する特性として偏光及びスペクトル分離の組み合わせを使用した異なるビューアのためのデコーディング装置を示すブロック図である。
【図１１】識別する特性として偏光及びスペクトル分離の組み合わせを使用した代替的な構成における異なるビューアのサブセットのためのデコーディング装置を示すブロック図である。
【図１２】デュアルビュー立体投影の表示装置の代替的な実施の形態を示す概念図である。
【図１３】本発明の様々な実施の形態のタイミングを説明するテーブルである。
【発明を実施するための形態】
【００１８】
本発明は、本発明に係る装置の一部を形成するエレメント、又は本発明に係る装置と直接に協働するエレメントに向けられる。特に図示又は記載されないエレメントは当業者にとって知られる様々な形態を取る場合があることを理解されたい。本実施の形態で図示及び記載される図面は、本発明の動作の原理を例示し、実際のサイズ又はスケールを示すために描かれていない。本発明の相対的な空間的な関係又は原理を強調するために幾つかの誇張が必要とされる場合がある。
【００１９】
以下の開示では、記載「左目の画像」とは、表示装置により形成される画像であって、ビューアの左目により見られることが意図される画像を示す。同様に、記載「右目の画像」は、ビューアの右目から見るために意図される画像を示す。
【００２０】
本明細書で使用される用語「セット」は、あるセットのエレメント又はメンバの集合の概念が初等数学で広く理解されているので、非空集合を意味する。用語「サブセット」とは、別段の取り決めが無い限り、非空の適切なサブセット、すなわち１以上のメンバを有する大きなセットのうちのサブのセットを示すように使用される。あるセットSについて、あるサブセットは、完全なセットSを有する。しかし、セットSの「適切なサブセット」は、セットSに厳密に含まれ、セットSの少なくとも１つのメンバを排除する。２つのサブセットは、それらの共通部分が空集合である場合、すなわち共通するエレメントが存在しない場合に互いに素である。２つのセットＡ及びＢは、ＢがＡのサブセットではなく、ＡがＢのサブセットではない場合に等しくない。係る場合、それぞれのサブセットの１以上のメンバは、それらの共通部分のメンバではない。
【００２１】
本発明の文脈において、用語「スペクトル領域」は、僅か約40nmの波長のうちの１つの波長又は比較的狭い範囲の波長を示す。背景技術で先に述べたように、立体視のスペクトル分離スキームは、それぞれの原色（従来R，G又はBと呼ばれる赤、緑又は青）について異なる波長で左目の画像と右目の画像を投影し、フィルタエレメントを使用して、それぞれの色について左目の画像コンテンツと右目の画像コンテンツとを分離する。
【００２２】
先に与えられた背景技術で述べたように、立体画像形成又はデュアルビュー画像形成の何れかの従来のアプローチは、左目の画像と右目の画像を分離するため、３つの識別する特性又は区別する機能のうちの１つを使用する。
【００２３】
（i）シャッターメガネ又は類似のデコーディング装置を使用して、左目の可視性と右目の可視性とを交互にするタイミング。  
（ii）デコーディング装置としての偏光メガネにより、第一の偏光状態を有する左目の画像と第一の偏光状態に直交する第二の偏光状態を有する右目の画像とを提供する偏光状態。  
（iii）第一の良好の定義された波長のセットにある光により左目の画像を提供し、第二の良好に定義された波長のセットにある光により右目の画像を提供し、デコーディング装置としてフィルタメガネを使用して左目のチャネルと右目のチャネルとの間のクロストークを最小にするスペクトル帯域。
【００２４】
本発明の実施の形態は、デュアルビューと立体画像形成の両者を同時に提供するため、２以上のこれらの識別する特性を結合する方法を提供するものである。最も一般的な場合、第一のビューアは、第一の立体画像を透過して第二の立体画像を阻止するために、タイミング、偏光状態又はスペクトル帯域幅のクラスから選択された第一のビューアを識別するエレメントを有する第一のデコーディング装置を有し、第二のビューアは、第二の立体画像を透過して第一の立体画像を阻止するために、第一のビューアと同じクラスの第二のビューアを識別するエレメントを有する第二のデコーディング装置を有する。また、第一のデコーディング装置は、第一のビューアを識別するエレメントについて使用されていないタイミング、偏光状態、又はスペクトル帯域の残りのクラスからそれぞれ選択された第一の立体画像の左目の立体画像と右目の立体画像とを分離するため、第一の左目を識別するエレメントと第一の右目を識別するエレメントを含む。また、第二のデコーディング装置は、第二のビューアを識別するエレメントについて使用されていないタイミング、偏光状態又はスペクトル帯域の残りのクラスからそれぞれ選択された第二の立体画像の左目の立体画像と右目の立体画像とを分離するため、第二の左目を識別するエレメントと第二の右目を識別するエレメントを含む。
【００２５】
画像の分離について、本発明の実施の形態は、左目の画像と右目の画像とを識別する特性又は区別する特徴として、直交的に偏光された光を使用する。偏光は、直線偏光、楕円偏光又は円偏光とすることができ、左目について変調された光は、右目について変調された光に関して直交するように偏光される。
【００２６】
本発明の実施の形態は、それぞれのタイミングのアレンジメントで必要とされるリフレッシュレートと互換性がある高速動作が可能である空間光変調器（SLM）を使用する。本発明の様々な実施の形態について使用される領域の空間光変調器は、テキサス州ダラスのテキサスインスツルメント社により開発される、DLP（Digital  Light  Processor）、DMD（Digital  Micromirror  Device）を含む。デジタル投影について広く使用されている別のタイプのSLMは、透過型光変調器、液晶装置（LCD）の両者として、及び反射型LCOS（Liquid  Crystal  On  Silicon）変調器として利用可能な液晶技術に基づいている。
【００２７】
本発明の実施の形態は、多重線形のGEMS（Grating  Electro-Mechanical  Systems）装置のような線形光変調器アレイを交互に使用して、デュアルビュー立体表示装置を提供するものであり、この表示装置は、単一のプロジェクタからのレーザ光源の改善された使用及び増加された輝度、及び先に提案された複雑度の少ない光学設計を使用する利点を可能にするものである。本発明の開示のコンテキストでは、用語「クリップ」は、MEMS（Micro-ElectroMechanical  System）の分野における当業者により知られているように使用される。用語「クリップ」は、同一出願人である米国特許第6411425号（Kowarz等）において詳細に記載される共形格子（conformal  grating）のような、１つの基板に形成される１以上の線形光変調器アレイを含むワンピースの電気機械の回路パッケージを示す。GEMSチップは、光の反射及び回折について光変調の回折格子を形成する細長いリボン上のエレメントを含むだけでなく、これらリボンのエレメントを作動するために使用される静電力を印加する基本的な回路をも含む。製造において、Kowarz等の‘425特許に示されるGEMSチップのようなチップを形成する微小な電子及び機械のコンポーネントは、１つの基板上に製造される。また、チップのパッケージは、回路ボード又は他の適切な表面で相互接続及び実行するための信号のリード線を含む。
【００２８】
GEMSデバイスアーキテクチャ及び動作の更なる詳細な説明は、米国特許第6307663号（Kowarz）、米国特許第6663788号（Kowarz等）、及び米国特許第6802613号（Agostinelli等）を含めて、多数の同一出願人の米国特許及び出願公開で与えられる。GEMSデバイスでは、光は回折により変調される。GEMSチップ上で、１つの基板上に形成される、共形の電気機械型リボンエレメントの直線アレイは、ライン走査された投影ディスプレイのそれぞれの画素のラインを形成するため、１以上の回折された光のオーダを提供する。
【００２９】
幾つかの実施の形態では、多重線形のGEMSチップは、立体のデュアルビュー表示装置の線形光変調器としての特定の関心がある。同一出願である米国特許出願公開第2007/0047061号（Kowarz）に記載される２本のGEMSデバイスは、２つの個別の電気機械格子の光変調器アレイのセクション、すなわち１つの基板上に形成された共形の電気機械格子デバイスの２つの直線アレイを提供する。１つの基板に形成される共形の電気機械格子デバイスの直線アレイを有する３本のGEMSデバイスは、米国特許第7274500号（Kowarz）に記載され、様々な実施の形態で使用される。
【００３０】
本発明の実施の形態では、２以上の同等でないビューアのサブセットにデュアルビュー立体画像を表示するために１つのプロジェクタが使用される。それぞれのビューアのサブセットに左目の画像と右目の画像として表示される画像シーンのコンテンツは、ビューアのサブセット間で一般に異なる。様々な実施の形態では、この違いは、たとえばあるビューアのサブセットについて別のビューアのサブセットよりも多かれ少なかれ水平方向の視差が提供されるように、立体画像を結合する変わりやすいビューアの能力に基づいている。ここで、立体画像を結合するビューアの能力に従って、互いに素なビューアのサブセットが定義される。他の実施の形態では、たとえばビューアのサブセットＡに表示するシーンが、ビューアのサブセットＢに表示するシーンとはコンテンツに関して完全に異なるように、画像シーンのコンテンツの一部又は全部が変化する場合がある。このように提供されるデュアルビュー立体画像により、ビューアのサブセットＡは、ビューアのサブセットＢがスポーツイベントを視聴している間に、衛星打ち上げを見ている。係る実施の形態では、ビューアのサブセットは、ゲームアプリケーションのような他の要素により定義することができ、この場合、ビューアのサブセットＡ及びＢは、ビデオゲームで競っているプレーヤとは異なるコンテンツを見る。別の実施の形態では、ビューアのサブセットＡは、ステレオで動画を見るために高い価格を支払うことで定義され、ビューアのサブセットＢは、ステレオではなく、従って低価格で、同じシーンコンテンツのはっきりとしないビューを有する場合がある。異なるレベルの画質又は色スペクトルは、異なるチャネルで異なるビューアのサブセットについて提供される。また、別の映画のような実施の形態では、２つの定義されたビューアのサブセットＡ及びＢは、２つの完全に異なる動画を見ている場合がある。
【００３１】
図１の概念的なブロック図は、２以上の同じでないビューアのサブセットにデュアルビューの立体表示を提供する本発明の立体表示装置１０を示す。ここで、２つのビューアのサブセットＡ，Ｂが存在し、それぞれのサブセットは、少なくとも１人のビューアを有する。ビューアＡは、第一の立体画像がビューアＡに受けられるように、第一の立体画像を透過し、第二の立体画像を阻止する第一のデコーディング装置６６aを有する。ビューアＢは、第二の立体画像をビューアＢに透過し、第一の立体画像を阻止する第二のデコーディング装置６６bを有する。この実施の形態について、１つのプロジェクタ１００は、従来のディスプレイスクリーンのようなディスプレイ表面２４に画像を投影する。制御ロジックプロセッサ２０は、プロジェクタ１００と通信するか、又はプロジェクタ１００の一部であり、プロジェクタ１００に画像の連続を供給する記憶されている命令に応答する。制御ロジックプロセッサ２０は、それぞれのビューアのサブセットＡ及びＢのそれぞれにより使用されるデコーディング装置６６a及び６６bのタイミングを同期させるために制御信号を供給し、この制御信号は、無線信号である場合がある。
【００３２】
それぞれのデコーディング装置６６a，６６bは、制御ロジックプロセッサ２０と通信し、プロジェクタの計時されたシーケンスと同期される。使用される構成及びそれぞれのビューアに画像がどのように送出されるかに依存して、それぞれのデコーディング装置６６a，６６bは、交互するビューアのサブセットで、何れかのビューアからの連続する１以上の画像を阻止するために作動可能である。
【００３３】
図１に示される実施の形態では、デコーディング装置６６a及び６６bは、電子的に制御されるシャッターメガネであり、ディスプレイの表面２４に画像を供給するために使用されるリフレッシュレートと同期して、レンズ７２l及び７２rとして示される、左目の識別するエレメントと右目を識別するエレメントの不透過率を変えるため、制御ロジックプロセッサ２０からの信号に応答する。後に詳細に記載されるように、ビューアのサブセットＡ及びＢについてビューアを識別するエレメントとして、又は左目を識別するエレメントと右目を識別するエレメントとして、他のタイプの識別エレメントを使用する場合があることが観察される。
【００３４】
本発明の開示の文脈では、立体画像は、異なる「チャネル」又は「サブチャネル」でビューアのサブセットに供給される。従って、図１に示される例は、２つのステレオチャネルを有しており、一方はビューアＡについてであり、他方はビューアＢについてである。
【００３５】
図１を参照して記載されたように、本発明の実施の形態は、本発明の開示ではビューアのサブセットＡ及びＢでラベル付けされる、２以上のビューアのサブセットの立体の知覚の特性に適合される立体ディスプレイの可能性をもつ、デュアルビューの立体視機能を提供する。立体画像を知覚する目に左目の画像と右目の画像を結合しないビューアについて非立体視を提供するのと同様に、複数の立体視を提供するため、様々な技術が採用される。
【００３６】
本発明のタイミング方法がどのように改善された立体画像形成を提供するかを良好に理解するため、現在実施されている、立体視の従来のタイミングを簡単に説明することはためになる。図２Ａのタイミング図を参照して、１つのプロジェクタからの立体表示のために使用される従来の「ページめくり」タイミングに対応するリフレッシュ周期が示される。ここで、Ｌ画像及びＲ画像の表示は交互にされる。たとえば時間ｔaとｔbとの間のリフレッシュ周期の半分について、左目の画像が表示され、次いで時間間隔ｔb〜ｔcとして示されるリフレッシュ周期の次の半分の間、右目の画像が表示される。（左目の可視性は、右目の画像の表示の間にシャッターガラスにより阻止され、同様に、右目の可視性は、左目の画像の表示の間にシャッターメガネにより阻止される。）図２Ａにおけるｗ1で示されるように、リフレッシュ周期のそれぞれの半周期の間隔のタイミングは、左目の画像の表示と右目の画像の表示について実質的に等しい。画像の表示の分野における当業者であれば、本発明の開示におけるリフレッシュ周期について示される波形が理想的なものであり、ある画像フレームの表示と次の画像フレームの表示との間の遅延の量が必要であることを認識されるであろう。たとえば、それぞれの左目の画像又は右目の画像は、リフレッシュ周期の実質的に半周期の間に実際に表示される。これは、次の画像又は画像の一部を提供するために、回復時間が必要とされるためである。
【００３７】
図２Ｂは、よりグラフィカルな形式で図２Ａのページめくりのタイミングを示し、Ｌ画像とＲ画像がどのようにビューアにより結合されて、立体又は3Dディスプレイの表面９０が形成されるかを示す。
【００３８】
本発明で使用されるタイミングの説明に移る前に、ビューアの２つのサブセットに立体又は２つの画像の何れかを表示するために提案されている多重化されたタイミングのアレンジメントを考えることはためになる。図３Ａのタイミング図を参照して、ビューアＡ及びＢの２つのサブセットのタイミングが示される。注釈は、以下の通りである。ＬAは、ビューアのサブセットＡへの左目の画像のタイミングを示し、ＲAは、ビューアのサブセットＡへの右目の画像のタイミングを示し、ＬBは、ビューアのサブセットＢへの左目の画像のタイミングを示し、ＲBは、ビューアのサブセットBへの右目の画像のタイミングを示す。
【００３９】
時間ｔa，ｔb，ｔc，ｔd及びｔeは、両方のビューアのサブセットへの画像の提示の１サイクルの間の表示のため、オーバラップしない時間間隔の相対的な期間の境界を定める。左目の画像と右目の画像の分離は、表示される画像のタイミングに同期されるシャッターメガネを使用する。図３Ｂは、このタイミングに対応するビューアＡ及びビューアＢのそれぞれのデコーディング装置６６a及び６６bとして作用するシャッターメガネの阻止する（影付きあり）レンズ部分及び透過する（影付きなし）レンズ部分をアイコンの形式で示しており、水平の太線は、それぞれシャッターが閉じたレンズの対応する時間間隔を示す。このアレンジメントによれば、従来の立体表示装置は、立体ディスプレイ又はデュアルビューディスプレイの何れかを提供するために使用することができる。特に、このタイミングは、有利ではない。これは、光レベルが厳しく制限され、画像フレームの表示のために利用可能な時間間隔のうち、せいぜい4分の1だけ光が供給されるからである。
【００４０】
従来の立体表示又はデュアルビュー表示の方法とは異なり、本発明の実施の形態は、ビューアのサブセットに従って画像を共に分離するため、すなわち、ある画像がビューアＡのものであるかビューアＢのものであるかについて、及びこのビューアＡ／Ｂの分離が与えられた場合、それぞれのビューアのサブセットにおいて右目の画像から左目の画像を識別するため、様々な組み合わせの異なるエレメントのペアを使用するものである。本発明の実施の形態は、これは、図１を参照して先に記載されたように、それぞれのビューアにデコーディング装置６６a，６６bを提供することで行われる。それぞれのデコーディング装置は、以下の機能コンポーネントを有する。  
（i）あるビューアについて意図される画像を受け、他の画像を阻止するビューアを識別するエレメント、（ii）左目の立体画像と右目の立体画像のそれぞれを分離する左目を識別するエレメントと右目を識別するエレメント。
【００４１】
本発明の実施の形態について利用可能な少なくとも３つのタイプの識別するエレメントが存在する。  
（a）シャッターメガネ：そのそのレンズの透過率は、受信されるべき画像と阻止されるべき画像との表示と同期して変化する。  
（b）典型的にレンズの形態での偏光子：直交的な偏光状態は、あるビューアのサブセットにより受信されるべき画像間の識別のために使用されるか、あるビューアの左目又は右目により交互に使用される。
（c）典型的にレンズとして提供されるスペクトルフィルタ：ある波長に従って光を選択的に透過又阻止する。あるカラー画像について、あるスペクトルフィルタは、それぞれのカラーチャネルについて使用される。
【００４２】
個々の実施の形態は、３つのタイプの識別エレメント（a），（b）又は（c）のうちの１つを、そのビューアを識別するエレメント（i）として使用し、残りの識別エレメント（a）〜（c）のうちの異なる１つを、その左目又は右目を識別するエレメントとして使用する。それぞれの機能コンポーネントについて選択される識別エレメントのタイプは、立体画像がプロジェクタ又は他の表示装置でどのように形成されるか、又はデコーディング装置６６a及び６６b（図１）がどのように構成されるかを決定する。
【００４３】
たとえば、本発明の実施の形態の装置及び方法は、２以上のビューアのセットにデュアルビューの立体画像形成を提供するため、偏光又は空間フィルタの画像分離技術とシャッターメガネの動作を組み合わせる。図４Ａのタイミング図は、デコーディング装置６６a及び６６bにおけるビューアを識別するエレメントとしてシャッターメガネを使用する実施の形態を示し、左目の識別エレメント及び右目の識別エレメントとして作用するレンズ７２l及び７２rが偏光され、レンズ７２lの偏光の透過軸は、レンズ７２rの偏光の透過軸と直交する。図４Ａで使用された表記及びその後の記載では、P1及びP2で示される偏光状態は、直交している。この実施の形態では、偏光された光を使用することで、それぞれのビューアのグループは、同時に表示される左目の画像又は右目の画像の何れかを有することができる。従って、たとえば、時間間隔ｔ0〜ｔ1として示されるリフレッシュ周期の半周期の間、ビューアＡには、偏光P1を有する左目の画像が提示される、ビューアＢは、この同じ時間間隔の間に偏光P2を有する右目の画像を受信する。次いで、時間ｔ1で、シャッターメガネの両方のセットは、それらの別の状態に切り替わる。時間間隔ｔ1〜ｔ2の間、リフレッシュ周期の他の半周期について、ビューアＡには、偏光P2を有する右目の画像が提示される。次いで、ビューアＢには、偏光P1を有する左目の画像が提示される。
【００４４】
図４Ｂは、両方のビューアのグループＡ及びＢについて使用される同じシャッターメガネのタイミングによるものであって、それぞれのビューアのグループについて異なるレンズ７２l及び７２rの偏光状態をもつ、別のタイミング図を示す。ここで、時間間隔ｔ0〜ｔ1の間、ビューアＡには、偏光P1を有する左目の画像が提示される。ビューアＢは、この同じ時間間隔の間に、偏光P2を有する左目の画像を受ける。次いで、時間ｔ1で、シャッターメガネの両方のセットは、それらの別の状態に切り替わる。時間間隔ｔ1〜ｔ2の間、リフレッシュ周期の他の半周期について、ビューアＡには、偏光P2を有する右目の画像が提示される。次いで、ビューアＢには、偏光P2を有する右目の画像が提示される。先に述べたように、ここで示されるタイミング波形は、理想化されている。左目の画像と右目の画像は、リフレッシュ周期の実質的に半周期の間に表示され、実際に、画像の次の部分がロードされ、及び画像変調のコンポーネントがある画像から次の画像に遷移するとき、いくらかの時間量が失われる。
【００４５】
図４Ａ又は図４Ｂの何れかにより１つのプロジェクタからのデュアルビューの立体画像形成を提供するため、直交する偏光状態の別個の画像を同時に投影できることが必要である。図５の概念図は、この画像形成の機能を提供する表示装置１０の内部コンポーネントを示す。
【００４６】
図５の表示装置１０は、赤チャネル４４r、緑チャネル４４g及び青チャネル４４bである、光変調のための３つの色チャネルを有する。それぞれの光変調の色チャネルの全体の動作は、同一出願人の米国特許第6678085号（Kowarz等）で詳細に記載され、本実施の形態で簡単に概説される一般的なパターンに従う。
【００４７】
赤チャネル４４rにおける赤色の光変調について、赤の光源７０rは、典型的には１つのレーザ又は好ましくは１以上のレーザのアレイであり、球面レンズ３２r、円筒型レンズ７４rを通して調整され、回転ミラー８２rに向けられる照明を提供する。回転ミラー８２rから反射された光は、電気機械格子である光変調器８５rの回折により変調される。電気機械格子の光変調器８５rからの変調された回折された光は、回転ミラー８２rを過ぎて回折され、Xキューブ又は他の２色性の結合器のような色結合器３８に向けられる。次いで、色結合器３８からの変調された光は、任意のクロスオーダフィルタ（図示せず）を含む投影光学系７５、ディスプレイの表面９０への投影のためのスキャニングミラー７７に向けられる。緑色の変調は、色結合器３８に光を供給する類似のコンポーネントのセットを使用し、緑の光源７０gは、典型的には１つのレーザ又は好ましくは１以上のレーザのアレイであり、球面レンズ３２g及び円筒型レンズ７４gを通して調整され、回転ミラー８２gに向けられる照明を提供する。回転ミラー８２gから反射された光は、電気機械格子の光変調器８５gでの回折により変調される。電気機械格子の光変調器８５gからの変調された回折された光は、回転ミラー８２gを過ぎて回折され、色結合器３８に向けられる。同様に、青の光源７０bは、典型的には１つのレーザ又は好ましくは１以上のレーザのアレイであり、球面レンズ３２b及び円筒型レンズ７４bを通して照明を提供し、回転ミラー８２bに光を向ける。回転ミラー８２bから反射された光は、電気機械格子の光変調器８５bでの回折により変調され、回転ミラー８２bを過ぎて回折され、色結合器３８に向けられる。図示される実施の形態では、それぞれの色チャネルは、更なる任意のコンポーネントである、GEMSデバイス又は類似の電気機械格子の光変調器８５を使用して直交偏光を有する画像の投影を可能にするストライプ型の偏光変更器４０r、４０g又は４０bを有する。好ましくは、ストライプ型の偏光変更器４０r、４０g、４０bは、光学的なリターダである。偏光子の代わりにリターダ（retarder）を使用することは、改善された光学効率につながる。ストライプ状のリターダは、外気から電気機械格子の光変調器８５を遮蔽するために典型的に使用される、GEMSデバイスのカバーガラス４１上のストライプ状にパターニングされた1/4波リターダを使用することで、GEMSデバイス、電気機械格子の光変調器８５の一部として統合することもできる。識別する特性として偏光が使用され、異なるビューアのセット又は３Ｄビューイングのために左目と右目の区別のために直交する偏光の表示を提供するとき、ディスプレイの表面９０は、投影された光の偏光の状態を維持するように設計されることが好ましい。
【００４８】
ストライプ状のパターンでのストライプ状リターダ４０r、４０g及び４０bを使用する代わりに、透過において使用するためのインラインの電気光学切り替え可能な1/2波リターダを回転ミラー８２r、８２g及び８２bと、色結合器３８との間に配置することができる。このアプローチは、１つの偏光のみがリフレッシュ周期のそれぞれ半周期のフレーム間隔で示されるべきであり、図４Ａ又は図４Ｂに示されるタイミング図と互換性が無いが、図７に示されるタイミング図とは互換性があることが必要とされる。
【００４９】
図６Ａは、ストライプ状リターダ４０のごく一部の平面図を示し、色チャネルのそれぞれにおいて、たとえばGEMSデバイスである電気機械格子の光変調器８５の上にあるとき、ストライプ状リターダ４０を示す。ストライプ１１４は、1/4波のリターダであり、GEMS電気機械格子の光変調器８５の画素間の距離dで１画素だけ離れて配置される。スペース１１６は、透明である。従って、１つおきのGEMS画素の到来する照明は、それぞれのストライプ１１４を通した透過に関してその偏光状態の変化を受ける。入力偏光が直線偏光された場合について、偏光軸は、リターダのストライプ１１４の高速又は低速の軸に関して45°だけ指向されており、１つおきの画素からの反射又は回折された光は、ストライプ１１４を通して透過されて更なる遅延を受ける。これにより、その画素について結果として得られる光は、その隣接する光に関して直交する直線偏光を有する。ここで記載される直交する偏光状態を達成するため、光を受けるGEMSデバイスの表面は、金属薄膜を有し、到来する光は、少なくとも正常に近い入射でなければならない。
【００５０】
図６Ｂ及び図６Ｃの透視図は、２つの隣接する画素変調リボン１１８の光の取り扱いを示す。図６Ｂでは、光アレイＲ1は、ストライプ状の偏光子４０のスペース１１６を通して透過する。GEMSデバイスからリターンされる偏光された光は、最初に有していた偏光と同じ偏光を有する。しかし、図６Ｃの透視図では、光アレイＲ2は、ストライプ１１４を通して向けられ、リボン１１８で変調され、ストライプ１１４を通して透過される。これにより、図６Ｂに示された光アレイＲ1に直交する偏光の光が提供される。このパターンを繰り返すことで、ストライプ状の偏光変更器４０により、１つのGEMSデバイスは、直交する偏光状態を有する２つの異なる画像を同時に提供することができる。これらインタリーブされた画像は、１つのGEMS画素だけ互いにずれている。
【００５１】
ストライプ状のリターダ４０の特に有利な実施の形態は、+1/8波のリターダと-1/8波のリターダのストライプ部分を交互にする形態であり、先のスペース１１６に対応する遅延しない部分が存在しない。電気機械格子の光変調器８５のそれぞれの画素は、ストライプ状のリターダ４０のそれ自身の対応するリターダのストライプ１１４を有する。従って、+1/8波のリターダの部分と-1/8波のリターダの部分は、電気機械格子の光変調器８５の、第一のインタリーブされた画素のセットと第二のインタリーブされた画素のセットとそれぞれ対応する。リターダ４０を通過した後、到来する直線偏光された照明は、楕円偏光の２つの状態に変換され、一方は、+1/8波の部分についてであり、他方は、-1/8波の部分についてである。電気機械格子の光変調器８５からリターンされた変調された光は、同じリターダ部分を横断する。このリターダ４０を通した第二の通過に応答して、累積の遅延は、それぞれ、交互する画素について+1/4波と-1/4波であり、結果として、アレイに沿って交互するインタリーブされた画素は、左の円偏光の状態と右の円偏光の状態とを有する。従って、左の円偏光の状態と右の円偏光の状態とを有するインタリーブされた画像は、ディスプレイの表面９０に投影される。同様に、電気機械格子の光変調器８５の光を受ける表面は、金属薄膜を有しており、到来する直線偏光された光は、+1/8波のリターダと-1/8波のリターダの好適な軸に対して45°である偏光の方向を有する。
【００５２】
図４Ａ及び図４Ｂに示される形態に類似する実施の形態では、ビューアＡとビューアＢの画像は、偏光により、すなわち第一のビューアを識別するエレメントと第二のビューアを識別するエレメントとして偏光子を使用することで識別することができ、これにより、ビューアＡの両方のレンズ７２l及び７２rは、P1の偏光状態を示す一方で、ビューアＢの両方のレンズ７２l及び７２rは、P2の偏光状態を示す。偏光を使用した代替的なタイミングのアレンジメントは、図７のタイミング図に示される。この実施の形態では、それぞれのビューアのシャッターメガネは、デュアルビューの動作を提供するため、リフレッシュ周期の半周期の間、両方のレンズ７２l及び７２rを一度阻止するように動作する。次いで、偏光は、それぞれのビューアについて立体視の機能を提供する。
【００５３】
別の代替的な実施の形態は、図４Ａ〜図６Ａを参照して記載されたように、偏光を使用した分離の代わりに、右目を識別するエレメントと左目を識別するエレメントを提供するスペクトルフィルタによる、スペクトル分離を使用する。図４Ａ及び図４Ｂのタイミング図を参照して、デコーディングデバイス６６a及び６６bのシャッターメガネは、それぞれの原色について異なるスペクトル成分を選択的に透過するフィルタリングレンズ７２l及び７２rを有する。この機能を提供するため、それぞれの色チャネルは、２つの異なる光源を有しており、一方はビューアＡのサブセットについてであり、他方はビューアＢのサブセットについてである。図８は、１実施の形態における緑チャネル４４gについてこの切替えがどのように提供されるかを示す。光源７０g1は、ビューアＡにより見る間隔の間にエネルギーが供給され、光源７０g2は、別の周期の間にエネルギーが供給される。この同じパターンは、全ての３以上の色チャネルについて当てはまる。
【００５４】
［シャッターメガネを持たない実施の形態］
別の実施の形態では、ビューアのセットＡ及びＢの画像は、異なるスペクトル帯域を透過するフィルタメガネ又は他のデコーディング装置を使用することで識別される。従って、ビューアを識別するエレメント（先の（i））は、この実施の形態におけるスペクトルフィルタ（先の（c））を使用する。それぞれのビューアのセットにおいて、左目の画像と右目の画像は、異なる偏光状態を有することで分離可能である。投影装置において、これは、図９の例における緑のチャネル４４gについて示されるように、更なる光源と共に、ストライプ状の偏光子４０をそれぞれの色チャネルに追加することで達成することができる。ビューア側で、図１０は、係る実施の形態のデコーディングデバイス６６a及び６６bについてスペクトル帯域及び偏光子のアレンジメントを示す。
【００５５】
別の代替となる実施の形態は、ビューアのセットＡ及びＢを識別する偏光を使用し、左目の画像と右目の画像の分離のためのデコーディング装置としてフィルタを使用する。従って、この実施の形態では、ビューアを識別するエレメント（先の（i））は、偏光（先の（b））を使用し、左目及び右目の識別エレメント（先の（ii））は、スペクトルフィルタ（先の（c））を使用する。この実施の形態は、図９で先に示されたそれぞれのチャネルにおける同じコンポーネントの切り替えを使用する。図１１は、係る実施の形態についてデコーディング装置６６a及び６６bの例示的なスペクトル帯域及び偏光子のアレンジメントを示す。係るアレンジメントによれば、シャッターメガネは必要とされない。しかし、ビデオ画像のリフレッシュタイミングレートはなお維持され、たとえば左目の画像と右目の画像は、リフレッシュ周期の異なる部分にわたり表示される。
【００５６】
本発明の実施の形態は、立体のデュアルビュー画像形成について１つのディスプレイ装置１０を使用する。これらの実施の形態は、立体画像形成と互換性のあるディスプレイのリフレッシュレートを必要とする。それぞれの目のリフレッシュレートは、フリッカを回避するために十分である必要があり、典型的に、60Hz前後でのリフレッシュレートは、GEMS及び関連する電気機械格子の光変調器と使用される。
【００５７】
図１２の表示装置１１０は、赤チャネル４４r、緑チャネル４４g及び青チャネル４４bである３つの色チャネルを有する。３つの色チャネルのそれぞれは、レーザのペア７０b1及び７０b2、７０g1及び７０g2、７０r1及び７０r2を有しており、これらのペアは、それぞれの原色について異なるスペクトル成分を選択的に透過するために波長に関して僅かにずれている。GEMSチップのそれぞれ１２０r，１２０g及び１２０bは、赤チャネルについて２本線（bilinear）の電気機械格子の光変調器８５r1及び８５r2をもつ２本線のGEMSアレイを有し、緑チャネルについて光変調器８５g1及び８５g2をもつ２本線のGEMSアレイを有し、青チャネルについて光変調器８５b1及び８５b2をもつ２本線のGEMSアレイを有する。光源７０r1及び７０r2からのレーザ光は、回転ミラー１０８rから反射され、電気機械格子の光変調器８５r1及び８５r2での回折により変調される。電気機械格子の光変調器８５r1及び８５r2からの変調された回折された光は、回転ミラー１０８rを過ぎて回折され、色結合器３８に向けられ、この色結合器において、３つの色チャネルからの変調された回折された光が結合される。色結合器３８からの変調された光は、任意のクラスオーダフィルタ（図示せず）を含む投影光学系７５に向けられ、偏光を保持しているディスプレイの表面９０への投影のためにスキャニングミラー７７に向けられる。図１２の実施の形態は、立体像のビューアの両方のセットについて全ての時間で、１００％の光の利用という利点を提供する。波長の変形は、図１１に示される異なるビューアのセットについて立体及び偏光のために使用することができるか、又は偏光は、図１０に示される異なるビューアについて立体及び波長のために使用することができる。
【００５８】
本発明の実施の形態では、完全な画像のリフレッシュ周期の間に、少なくとも２つの個別の立体画像が表示される。それぞれの個々のビューアのセットは、サブセットにおけるユーザが１つの立体視を見るように、立体視のうちの１つをフィルタリング又は阻止するためにデコーディング装置を使用する。デコーディング装置は、２つの分離メカニズムのタイプを提供し、一方はビューアのサブセット間の識別するためのものであり、他方はそれぞれのビューアのサブセットにおける左目の画像と右目の画像とを識別するためのものである。画像のリフレッシュ周期は、１以上の部分的な周期を有する場合がある。図１３で与えられた表は、E1〜E7でラベル付けされる本発明の７つの異なる実施の形態の概要を与えるものである。P1及びP2は、直交する偏光であり、S1及びS2は、異なるRGBスペクトル帯域のセットであり、“Open”及び“Blocked”は、開いているか又は閉じているシャッターメガネの状態を示す。
【００５９】
以下の図１３に示される実施の形態のそれぞれの説明は、例として、GEMSデバイスを使用して水平方向に1920画素と垂直方向に1080画素をもつ画像を表示する機能を使用している。デュアルビュー立体表示の実施の形態では、画像のリフレッシュ周期は、２つのビューアのセットのそれぞれに２つの別個の立体画像を表示するため、２つの半周期を有する。図１３に列挙される実施の形態の幾つかでは、画像が高速に更新されるか又は半周期が長い期間に延長されるように、画像のリフレッシュ周期は、半周期のうちの１つを必要とする。ディスプレイについて、少なくとも60Hzの周波数で画像のリフレッシュ周期を有するか、又は少なくとも120Hzでリフレッシュの半周期を有することが望まれる。GEMSによる立体画像のスキャニングのタイミングのオプション及び表示要件は、同一出願人である米国特許12/047605号（Marcus等）で記載される。
【００６０】
図１３に示される実施の形態E1及びE2は、偏光P1の光を変調する奇数番号の画素と偏光P2の偶数番号の画素とからなるセットによる2160画素を有するGEMSデバイスより、図５に示されている。実施の形態E1は、それぞれの目の間で交互するシャッターメガネのタイミングを使用する一方で、それぞれのビューアのセットについて左目と右目の立体のペアを識別するための区別する特性として偏光を使用する。画像のリフレッシュ周期の第一の半周期の間、P1の偏光を使用して第一のビューアのセットについて左目の画像を表示するために奇数番号のGEMS画素が使用され、P2の偏光を使用して第二のビューアのセット（Ｂ）について右目の画像を表示するために偶数番号の画素が使用される。画像リフレッシュ周期の第二の半周期の間、P2の偏光を使用して第一のビューアのセットに付いて右目の画像を表示するために偶数番号のGEMS画素が使用され、P2の偏光を使用して第二のビューアのセット（Ｂ）について左目の画像を表示するために奇数番号の画素が使用される。デコーディング装置における偏光は、左目がP1の偏光の光のみを受け、右目がP2の偏光のみを受けることを保証する。デコーディング装置における電気光シャッターは、第二のビューアのセットにより見られることから、第一のビューアのセット（Ａ）について意図される光を阻止するために使用され、逆に、第一のビューアのセットにより見られることから、第二のビューアのセット（Ｂ）について意図される光を阻止するために使用される。画像のリフレッシュクサイクル又はリフレッシュ周期の第一の半周期（“REFRESH  CYCLE  1st  Half”）の間、それぞれのデコーディング装置を使用したとき、第一のビューアのセット（Ａ）の右目（RIGHT  EYE）はブロックされ、第二のビューアのセット（Ｂ）の左目（LEFT  EYE）はブロックされる。画像のリフレッシュサイクル又はリフレッシュ周期の第二の半周期（“REFRESH  CYCLE  2nd  Half”）の間、それぞれのデコーディング装置を使用したとき、第一のビューアのセット（Ａ）の左目はブロックされ、第二のビューアのセット（Ｂ）の右目はブロックされる。従って、１つの完全な画像サイクルにおいて、ビューアのＡ及びＢセットの両者は、別個の立体画像を見る。
【００６１】
図１３に示される実施の形態Ｅ２は、画像のリフレッシュサイクルのそれぞれの半周期の間、ビューア間で交互するタイミングを使用する一方、それぞれのビューアのセットについて左目の立体と右目の立体のペアを区別するために偏光を使用する。画像のリフレッシュサイクルの第一の半周期の間、P1の偏光を使用して第一のビューアのセット（Ａ）について左目の画像を表示するために奇数番号のGEMS画素が使用され、P2の偏光を使用して第一のビューアのセット（Ａ）について右目の画像を表示するために偶数番号のGEMS画素が使用される。第二のビューアのセット（Ｂ）の両方の目は、画像のリフレッシュサイクルの第一の半周期の間にブロックされる。画像のリフレッシュサイクルの第二の半周期の間、P1の偏光を使用して第二のビューアのセット（Ｂ）について左目の画像を表示するために奇数番号のGEMS画素が使用され、P2の偏光を使用して第二のビューアのセット（Ｂ）について右目の画像を表示するために偶数番号の画素が使用される。第一のビューア（Ａ）のセットの両方の目は、画像のリフレッシュサイクルの第二の半周期の間にブロックされる。従って、１つの完全な画像サイクルにおいて、両方のビューアの両方のＡ及びＢのセットは、別個の立体画像を見る。
【００６２】
図１３に示される実施の形態E3及びE4は、異なるタイミングで立体画像を表示するためにスペクトル帯域の差を使用する。実施の形態E3及びE4は、任意のストライプ状の偏光変更器４０r，４０g及び４０bをもたない図１２に示される装置を使用する。２本線のGEMSデバイスのペアのそれぞれは、1080の画素を有し、左目の立体画像と右目の立体画像とを分離するために使用される１つのスペクトル帯域S1又はS2の光を受ける。実施の形態3では、画像のリフレッシュサイクルの第一の半周期の間、第一のビューアのセット（Ａ）について左目の画像は、スペクトル帯域S1を使用して表示される一方、第一のビューアのセット（Ａ）の右目の画像がブロックされ、また、第二のビューアのセット（Ｂ）の右目の画像は、スペクトル帯域S2を使用して表示される一方、第二のビューアのセット（Ｂ）の左目の画像はブロックされる。画像のリフレッシュサイクルの第二の半周期の間、第一のビューアのセット（Ａ）の右目の画像は、スペクトル帯域S2を使用して表示される一方、第一のビューアのセット（Ａ）の左目の画像はブロックされ、また、第二のビューアのセット（Ｂ）の左目の画像は、スペクトル帯域S1を使用して表示される一方、第二のビューアのセット（Ｂ）の右目の画像はブロックされる。従って、１つの完全な画像サイクルにおいて、両方のビューアのセットは、別個の立体画像を見る。
【００６３】
図１３に示される実施の形態E5は、図９の２つの部分からなるスペクトル帯域の光源のアレンジメントをもつ図５における装置を使用する。実施の形態E1及びE2に置けるように、GEMSデバイスは、1080画素の等価なものを表示するために2160の画素を有する場合があり、奇数番号の画素は、偏光P1を通過し、偶数番号の画素は、直交する偏光P2を通過する。実施の形態E5は、左目と右目の間で交互にするタイミングのためにスペクトル帯域のバリエーションを使用する一方で、それぞれのビューアのセットについて左目と右目の立体のペアを区別するために偏光を使用する。画像のリフレッシュサイクルの第一の半周期の間、光源S1はオンであって、光源S2はオフであり、画像のリフレッシュサイクルの第二の半周期の間、光源S2はオンであってS1はオフである。画像のリフレッシュサイクルの第一の半周期の間、第一のビューアのセット（Ａ）のそれぞれについてデコーディング装置は、第一のビューアのセット（Ａ）の左目への光源S1からの光を送出する一方、第一のビューアのセット（Ａ）の右目への光源S1からの光をブロックする。
【００６４】
また、画像のリフレッシュサイクルの第一の半周期の間、第一のビューアのセット（Ａ）のそれぞれについてデコーディング装置は、第一のビューアのセットの左目への偏光P1の光を透過する一方で、第一のビューアのセット（Ａ）の右目への偏光P1からの光をブロックする。画像のリフレッシュサイクルの第二の半周期の間、第一のビューアのセット（Ａ）のそれぞれの同じデコーディング装置は、第一のビューアのセット（Ａ）の右目への光源S2からの光を透過する一方で、第一のビューアのセット（Ａ）の左目への光源S2からの光を透過する一方で、第一のビューアのセット（Ａ）の左目への光源S2からの光をブロックする。また、画像のリフレッシュサイクルの第二の半周期の間、第一のビューアのセットのそれぞれのデコーディング装置は、第一のビューアのセット（Ａ）の左目への偏光P2の光を透過する一方、第一のビューアのセット（Ａ）の左目への偏光P2からの光をブロックする。同様に、画像のリフレッシュサイクルの第一の半周期の間、第二のビューアのセット（Ｂ）のそれぞれのデコーディング装置は、第二のビューアのセット（Ｂ）の右目への光源S1からの光を透過し、第二のビューアのセット（Ｂ）の左目への光源S1からの光をブロックする。また、画像のリフレッシュサイクルの第一の半周期の間、第二のビューアのセット（Ｂ）のそれぞれのデコーディング装置は、第二のビューアのセット（Ｂ）の右目への偏光P2の光を透過する一方で、第二のビューアのセット（Ｂ）の左目への偏光P2からの光をブロックする。画像のリフレッシュサイクルの第二の半周期の間、第二のビューアのセット（Ｂ）のそれぞれの同じデコーディング装置は、第二のビューアのセット（Ｂ）の左目への光源S2からの光を透過する一方で、第二のビューアのセット（Ｂ）の右目への光源S2からの光をブロックする。画像のリフレッシュサイクルの第二の半周期の間、第二のビューアのセット（Ｂ）のそれぞれのデコーディング装置は、第二のビューアのセット（Ｂ）の左目への偏光P1の光を透過する一方で、第二のビューアのセット（Ｂ）の右目への偏光P1からの光をブロックする。
【００６５】
実施の形態E5を使用して２つの別個の立体視を投影するため、画像のリフレッシュサイクルの第一の半周期の間、光源S1はオンであって、S2はオフであり、偏光P1を使用して第一のビューアのセット（Ａ）の左目の画像を表示するために奇数番号のGEMS画素が使用され、偏光P2を使用して第二のビューアのセットの右目の画像を表示するために偶数番号のGEMS画素が使用される。画像のリフレッシュサイクルの第二の半周期の間、光源S2はオンであって、S1はオフであり、偏光P1を使用して第二のビューアのセット（Ｂ）の左目の画像を表示するために奇数番号のGEMS画素が使用され、偏光P2を使用して第一のビューアのセット（Ａ）の右目の画像を表示するために偶数番号のGEMS画素が使用される。
【００６６】
図１３で示される実施の形態E6は、図９の２つのスペクトル帯域の光源のアレンジメントをもつ図５に示される装置を使用する。実施の形態E1及びE2におけるように、GEMS装置は、1080画素の等価なものを表示するために2160画素を有しており、奇数番号の画素は偏光P1を通過し、偶数番号の画素は直交する偏光P2を通過する。この実施の形態では、ビューアのセットを区別するために偏光が使用され、スペクトル帯域の分離S1及びS2は、立体画像を提供するために使用される。画像のリフレッシュサイクルの第一の半周期の間、光源S1はオンであって、S2はオフであり、画像のリフレッシュサイクルの第二の半周期の間、光源S2はオンであって、S1はオフである。第一のビューアのセットのデコーディング装置は、スペクトル帯域S1の光を透過し、第一のビューアのセット（Ａ）への左目へのスペクトル帯域S2の光をブロックする一方、スペクトル帯域S1の光をブロックし、第一のビューアのセット（Ａ）の右目へのスペクトル帯域S2の光を透過する。第二のビューアのセット（Ｂ）のデコーディング装置は、スペクトル帯域S1を透過し、第二のビューアのセット（Ｂ）の右目へのスペクトル帯域S2の光をブロックする一方、スペクトル帯域S1の光をブロックし、第二のビューアのセット（Ｂ）の左目へのスペクトル帯域S2の光を透過する。画像のリフレッシュサイクルの第一の半周期の間、光源S1がオンであるとき、第一のビューアのセット（Ａ）の左目の画像を表示するために偏光P1の奇数番号のGEMS画素が使用され、第二のビューアのセット（Ｂ）の右目の画像を表示するために偏光P2の偶数番号のGEMS画素が使用される。画像のリフレッシュサイクルの第二の半周期の間、光源S2がオンであるとき、第二のビューアのセット（Ｂ）の左目の画像を表示するために偏光P1の奇数番号のGEMS画素が使用され、第一のビューアのセットの右目の画像を表示するために偏光P2の偶数番号のGEMS画素が使用される。
【００６７】
また、図１３に示される実施の形態E6は、常にオンである２つの光源と２本線のGEMSデバイスのセットとを使用する図１２に示される装置を使用する。実施の形態E1及びE2におけるように、GEMSデバイスは、1080画素に相当するものを表示するために2160画素を有しており、奇数番号の画素は、偏光P1を通過し、偶数番号の画素は、直交する偏光P2を通過する。図１２における装置が利用されたとき、ビューアの２つの別個のセットＡ及びＢへの２つの別個の立体画像を表示するために、リフレッシュサイクルの一方の半周期のみが必要とされる。第一のビューアのセット（Ａ）の左目の立体画像は、２本線のGEMSデバイス１２０r，１２０g及び１２０bの関連するGEMSアレイ８５r1，８５g1及び８５b1の偏光P1の奇数番号のGEMS画素により、光源７０r1，７０g1及び７０b1により提供されるスペクトル帯域S1を使用して提示される。第一のビューアのセット（Ａ）の右目の立体画像は、２本線のGEMS装置１２０r，１２０g及び１２０bの関連するGEMSアレイ８５r2，８５g2及び８５b2の偏光P1の奇数番号のGEMS画素により、光源７０r2，７０g2及び７０b2により提供されるスペクトル帯域S2を使用して提示される。第二のビューアのセット（Ｂ）の右目の立体画像は、２本線のGEMSデバイス１２０r，１２０g及び１２０bにおける関連するGEMSアレイ８５r1，８５g1及び８５b1の偏光P2の偶数番号のGEMS画素により、光源７０r1，７０g1及び７０b1により提供されるスペクトル帯域S1を使用して提示される。第二のビューアのセット（Ｂ）の左目の立体画像は、２本線のGEMSデバイス１２０r，１２０g及び１２０bの関連するGEMSアレイ８５r2，８５g2及び８５b2における偏光P2の偶数番号のGEMS画素により、光源７０r2，７０g2及び７０b2により提供されるスペクトル帯域S2を使用して提示される。従って、リフレッシュサイクルの第一の半周期において、ビューアの２つの別個のセットＡ及びＢに立体画像の２つの別個のセットが示される。
【００６８】
図１３に示される実施の形態E6は、ストライプ状の偏光子４０r，４０g及び４０bをもたない図１２に示される装置を使用する。この場合、それぞれ連続するリフレッシュ周期の半周期の間で、P1とP2の間で偏光を交互に切り替えるため、投影光学系において切り替え可能な半波面が存在する。リフレッシュサイクルの第一の半周期の間、偏光P1は、ディスプレイの表面９０に向けられ、リフレッシュサイクルの第二の半周期の間、偏光P2は、投影スクリーンに進行する。従って、第一のビューアのセット（Ａ）は、画像のリフレッシュサイクルの第一の半周期の間に左目の画像のスペクトル帯域S1と右目の画像のスペクトル帯域S2を使用して立体画像を見ることになり、第二のビューアのセット（Ｂ）は、測定サイクルの第二の半周期の間に、左目の画像のスペクトル帯域S2と右目の画像のスペクトル帯域S1とを使用して、異なる立体画像を見ることになる。
【００６９】
実施の形態E7は、図１２に示される装置を使用する。実施の形態E1及びE2におけるように、GEMSデバイスは、1080画素に相当するものを表示するために2160画素を有しており、奇数番号の画素は、偏光P1を変調し、偶数番号の画素は、直交する偏光P2を変調する。この実施の形態では、左目と右目の立体のペアを表示するために直交する偏光P1及びP2が使用される一方で、ビューアＡ及びＢのセットを分離するためにスペクトル帯域S1及びS2が使用される。図１２の装置が実施の形態E7と利用されるとき、リフレッシュサイクルのそれぞれの半周期において、２つの異なる立体画像が２つの異なるビューアのセットに表示する。第一のビューアのセット（Ａ）の立体画像は、光源７０r1，７０g1及び７０b1により提供されるスペクトル帯域S1を使用して提示され、２本線のGEMSデバイス１２０r，１２０g及び１２０bの関連するGEMSアレイ８５r1，８５g1及び８５b1の偏光P1の奇数番号のGEMS画素は、第一のビューアのセット（Ａ）の左目の画像を提供し、２本線のGEMS装置１２０r，１２０g及び１２０bの関連するGEMSアレイ８５r1，８５g1及び８５b1の偏光P2の偶数番号のGEMS画素は、第一のビューアのセット（Ａ）の右目の画像を提供する。第二のビューアのセット（Ｂ）の立体画像は、光源７０r2，７０g2及び７０b2により提供されるスペクトル帯域S2を使用して提示され、２本線のGEMSデバイス１２０r，１２０g及び１２０bの関連するGEMSアレイ８５r2，８５g2及び８５b2の偏光P1の奇数番号のGEMS画素は、第二のビューアのセット（Ｂ）の左目の画像を供給し、２本線のGEMSデバイス１２０r，１２０g及び１２０bの関連するGEMSアレイ８５r2，８５g2及び８５b2の偏光P2の偶数番号のGEMS画素は、第二のビューアのセット（Ｂ）の左目の画像を提供する。
【００７０】
実施の形態E1〜E7の選択は、GEMSデバイスに提供される画像データの対応するエンコードに影響を及ぼすことを理解されたい。多数のこれらの実施の形態では、奇数番号のGEMS画素は、偏光P1について提供され、偶数番号の画素は、直交する偏光P2について提供され、交互となる左目及び右目の画像の何れか又はビューアＡ及びＢのセットの何れかをサポートする。交互となるP1/P2の偏光のアプローチを使用するとき、目の解像度よりも小さくなるようにディスプレイの表面に投影される画素のサイズについて有利である。たとえば、真の1920×1080画素を表示するため、2160画素によるGEMSアレイを使用することが必要である。
【００７１】
本明細書で記載された例示的な実施の形態ではGEMSデバイスが使用されたが、他のタイプの線形光変調器の使用を考えることができる。幾つかの実施の形態では、左目の画像と右目の画像とを形成するためにGEMSデバイスの代わりに、グレーティングライトバルブ（GLV）コンポーネントが代替的に使用される。画像変調及びシャッターメガネの動作のタイミングを同期させる制御ロジック回路は、図示又は詳細に記載されないが、電子画像形成の分野における当業者にとって精通しているものである。本発明の実施の形態は、第一のビューアのセットについて偏光子をもつシャッターメガネを使用し、第二のビューアのセットについてスペクトルフィルタをもつシャッターメガネを使用するような、デコーディング装置の代替的な組み合わせを使用することができる。従って、提供されるものは、デュアルビュー立体色投影の電子機械格子デバイスを使用する装置及び方法である。
【符号の説明】
【００７２】
１０：表示装置
２０：制御ロジックプロセッサ
２４：ディスプレイ表面
３２r：球面レンズ（赤）
３２g：球面レンズ（緑）
３２b：球面レンズ（青）
３８：色結合器
４０：ストライプ状の偏光変更エレメント
４０r：ストライプ状の偏光変更エレメント
４０g：ストライプ状の偏光変更エレメント
４１：カバーガラス
４４r：赤チャネル
４４g：緑チャネル
４４b：青チャネル
６６a：デコーディング装置
６６b：デコーディング装置
７０r：光源（赤）
７０r1：光源（赤）
７０r2：光源（赤）
７０g：光源（緑）
７０g1：光源（緑）
７０g2：光源（緑）
７０b：光源（青）
７０b1：光源（青）
７０b2：光源（青）
７２l：レンズ
７２r：レンズ
７４r：円筒形レンズ（赤）
７４g：円筒形レンズ（緑）
７４b：円筒形レンズ（青）
７５：投影光学系
７７：スキャニングミラー
８２r：回転ミラー（赤）
８２g：回転ミラー（緑）
８２b：回転ミラー（青）
８５：電気機械格子の光変調器
８５r：電気機械格子の光変調器（赤）
８５r1：２本線の電気機械格子の光変調器（赤）
８５r2：２本線の電気機械格子の光変調器（赤）
８５g：電気機械格子の光変調器（緑）
８５g1：２本線の電気機械格子の光変調器（緑）
８５g2：２本線の電気機械格子の光変調器（緑）
８５b：電気機械格子の光変調器（青）
８５b1：２本線の電気機械格子の光変調器（青）
８５b2：２本線の電気機械格子の光変調器（青）
９０：ディスプレイ表面
１００：プロジェクタ
１０８r：回転ミラー（赤）
１０８g：回転ミラー（緑）
１０８b：回転ミラー（青）
１１０：表示装置
１１４：ストライプ
１１６：スペース
１１８：リボン
１２０r：GEMSチップ（赤）
１２０g：GEMSチップ（緑）
１２０b：GEMSチップ（青）
【図１】
2012514766.tif 000003
【図２Ａ】
2012514766.tif 000004
【図２Ｂ】
2012514766.tif 000005
【図３Ａ】
2012514766.tif 000006
【図３Ｂ】
2012514766.tif 000007
【図４Ａ】
2012514766.tif 000008
【図４Ｂ】
2012514766.tif 000009
【図５】
2012514766.tif 000010
【図６Ａ】
2012514766.tif 000011
【図６Ｂ】
2012514766.tif 000012
【図６Ｃ】
2012514766.tif 000013
【図７】
2012514766.tif 000014
【図８】
2012514766.tif 000015
【図９】
2012514766.tif 000016
【図１０】
2012514766.tif 000017
【図１１】
2012514766.tif 000018
【図１２】
2012514766.tif 000019
【図１３】
2012514766.tif 000020
【国際調査報告】
2012514766.tif 000021